(57)【要約】【課題】携帯電話機がパケットの発呼を実施する以前に、携帯電話網のパケットリソース有無の情報が携帯電話機に通知されることで、発生する呼損を防止する。【解決手段】無線ネットワーク制御局ＲＮＣ３は携帯電話基地局装置２を統括制御する。コアネットワークＣＮ４は携帯電話機１の位置登録の制御、呼制御、ユーザー情報を管理する。携帯電話ネットワーク５は、携帯電話ネットワーク５自身が携帯電話機１に割当て可能なパケットのリソースを保持しているか否かの情報を報知する。【選択図】      図１
2005277911.tif 000002
【特許請求の範囲】
【請求項１】
携帯電話機と、携帯電話基地局と、携帯電話ネットワークとを備え、
前記携帯電話ネットワークは、
前記携帯電話機が前記携帯電話基地局で位置登録の待ち受け時点で、前記携帯電話機に割当て可能なパケットリソースを保持しているか否かを前記携帯電話機に通知する通知手段を有したことを特徴とする携帯電話パケット呼接続システム。
【請求項２】
携帯電話機と、携帯電話基地局と、携帯電話ネットワークとを備え、
前記携帯電話機は、前記携帯電話ネットワークがパケットのリソースを使い果たし前記携帯電話機に割当て可能なリソースを保持していない場合は、発呼要求を受け付けないで、前記携帯電話ネットワークにパケット呼の発呼に関する信号を送信しない発呼要求拒否手段を有したことを特徴とする携帯電話パケット呼接続システム。
【請求項３】
携帯電話機と、携帯電話基地局と、携帯電話ネットワークとを備え、
前記携帯電話ネットワークは、
前記携帯電話機が前記携帯電話基地局で位置登録を完了した時点で、前記携帯電話機に割当て可能なパケットリソースを保持しているか否かを前記携帯電話機に通知する通知手段を設け、
前記携帯電話機は、前記携帯電話ネットワークがパケットのリソースを使い果たし前記携帯電話機に割当て可能なリソースを保持していない場合は、発呼要求を受け付けないで、前記携帯電話ネットワークにパケット呼の発呼に関する信号を送信しない発呼要求拒否手段を設けたことを特徴とする携帯電話パケット呼接続システム。
【請求項４】
前記携帯電話ネットワークは、パケットのリソースを使い果たし前記携帯電話機に割当て可能なリソースを保持していない場合は、リソースを保持していない情報を報知情報として、前記携帯電話機に通知することを特徴とする請求項１、２又は３記載の携帯電話パケット呼接続システム。
【請求項５】
前記携帯電話ネットワークは、
前記携帯電話基地局を統括制御する無線ネットワーク制御局と、前記携帯電話機の位置登録の制御、呼制御及びユーザー情報管理を行うコアネットワークとを備えたことを特徴とする請求項１、２、３又は４記載の携帯電話パケット呼接続システム。
【請求項６】
前記携帯電話機は、前記携帯電話ネットワークからの前記報知情報で、割当て可能なパケットリソースを保持していないという情報が通知された場合、予め設定したＴ秒間パケット呼の発呼要求を拒否する手段を備えたことを特徴とする請求項１、２、３、４又は５記載の携帯電話パケット呼接続システム。
【請求項７】
前記携帯電話機は、パケット呼の発呼要求を拒否する前記Ｔ秒以内に新たな報知情報を受信し、割当て可能なパケットリソースが存在する情報を取得した場合は、直ちに発呼要求に応じることを特徴とする請求項６記載の携帯電話パケット呼接続システム。
【請求項８】
前記携帯電話機は、
前記携帯電話ネットワークが前記携帯電話機に割当てるリソースを保持していない情報を受信すると、前記情報を表示することを特徴とする請求項１、２、３、４又は５記載の携帯電話パケット呼接続システム。
【請求項９】
無線送受信を行う無線通信部と、メッセージを表示する表示部と、制御部とを備え、
携帯電話機に割当てるリソースを保持していない情報を携帯電話ネットワークから受信すると、前記情報を前記表示部に表示することを特徴とする携帯電話機。
【請求項１０】
無線送受信を行う無線通信部と、メッセージを表示する表示部と、制御部とを備え、
前記制御部は、
携帯電話ネットワークがパケットのリソースを使い果たし携帯電話機に割当て可能なリソースを保持していない場合は、発呼要求を受け付けないで、前記携帯電話ネットワークにパケット呼の発呼要求の拒否を行うことを特徴とする携帯電話機。
【請求項１１】
携帯電話機が携帯電話基地局で位置登録を待ち受けている時点で、携帯電話ネットワークは前記携帯電話機に割当て可能なパケットリソースを保持しているか否かを前記携帯電話機に通知し、
前記携帯電話機は、前記携帯電話ネットワークがパケットのリソースを使い果たし前記携帯電話機に割当て可能なリソースを保持していない場合は、発呼要求を受け付けないで、パケット呼の発呼要求拒否を行うことを特徴とする携帯電話パケット呼接続方法。
【発明の詳細な説明】
【技術分野】
【０００１】
本発明は携帯電話パケット呼接続システムに関し、特に携帯電話ネットワークが携帯電話機に割当て可能なパケットリソースを保持していない場合は、携帯電話機からのパケット発呼を停止させる携帯電話パケット呼接続システムに関する。
【背景技術】
【０００２】
近年、携帯電話、ＰＨＳ等に代表される移動体無線通信システムが幅広く利用されている。特に携帯電話に用いられるデータ通信のためのプロトコルは多数ある。プロトコルによっては専用のリソースが必要な場合もある。この場合、その時点で必要なリソースを獲得してデータリンクに接続するのが一般的である。
【０００３】
ＣＤＭＡ（Ｃｏｄｅ  Ｄｉｖｉｓｉｏｎ  Ｍｕｌｔｉｐｐｌｅ  Ａｃｃｅｓｓ）方式を適用した基地局では、常時測定しているセル内干渉量に、回線が要求する情報転送速度及び伝達能力などから予測される干渉増加量を加えた値と、システム内で規定された最大許容干渉量しきい値との比較から空き容量が決定される。ＣＤＭＡシステムでは、上述の干渉量をもとに空き容量が決定されるため、セル内で通信中の移動局数が一定であっても、移動局の位置関係や音声通信時の有音率等により空き容量が異なることになる。
【０００４】
このシステムの空き容量に関し、携帯電話機からパケット呼（ブラウジングやインターネット接続及び電子メールの利用などによるパケット呼）を発呼した際、携帯電話ネットワーク側のパケットリソースが不足している場合に携帯電話ネットワークから切断通知を受け、呼損となってしまう場合がある。
【０００５】
従来の携帯電話パケット呼接続システムでは、無線端末からデータリンク接続要求がきたときに、無線基地局は、通信チャンネル分のリソースが用意できないとデータリンク接続が不可になる。このことを防止するために、データ通信用のリソースを複数の無線基地局内で効率的に割り当てることで、多くの無線端末がデータ通信可能なようにしている（例えば、特許文献１参照。）。
【０００６】
【特許文献１】特開２０００−５０３５０号公報（第２−３頁、図１）
【発明の開示】
【発明が解決しようとする課題】
【０００７】
上述した従来の携帯電話パケット呼接続システムは、携帯電話機がパケット呼を発呼した後に、携帯電話ネットワークから“リソース不足”として切断通知を受けるまでは、現在携帯電話機が接続しているセル内で、パケット呼の発呼が可能であるかどうかを知りえないという欠点を有している。
【０００８】
また、携帯電話機からパケット呼を発呼した際、携帯電話機からの要求に対して携帯電話ネットワークがすでに携帯電話機に割当て可能なパケットリソースを全て使用していた場合、リソース不足として携帯電話ネットワークから切断通知を受け呼損になるという欠点を有している。
【０００９】
本発明の目的は、携帯電話機がパケットの発呼を実施する以前に、携帯電話ネットワークのパケットリソース有無の情報が携帯電話機に通知されることで、発生する呼損を無くす携帯電話パケット呼接続システムを提供することにある。
【課題を解決するための手段】
【００１０】
本発明の携帯電話パケット呼接続システムは、
携帯電話機と、携帯電話基地局と、携帯電話ネットワークとを備え、
前記携帯電話ネットワークは、
前記携帯電話機が前記携帯電話基地局で位置登録を完了した時点で、前記携帯電話機に割当て可能なパケットリソースを保持しているか否かを前記携帯電話機に通知する通知手段を有したことを特徴としている。
【００１１】
携帯電話機と、携帯電話基地局と、携帯電話ネットワークとを備え、
前記携帯電話機は、前記携帯電話ネットワークがパケットのリソースを使い果たし前記携帯電話機に割当て可能なリソースを保持していない場合は、発呼要求を受け付けないで、前記携帯電話ネットワークにパケット呼の発呼に関する信号を送信しない発呼要求拒否手段を有したことを特徴としている。
【００１２】
携帯電話機と、携帯電話基地局と、携帯電話ネットワークとを備え、
前記携帯電話ネットワークは、
前記携帯電話機が前記携帯電話基地局で位置登録を完了した時点で、前記携帯電話機に割当て可能なパケットリソースを保持しているか否かを前記携帯電話機に通知する通知手段を設け、
前記携帯電話機は、前記携帯電話ネットワークがパケットのリソースを使い果たし前記携帯電話機に割当て可能なリソースを保持していない場合は、発呼要求を受け付けないで、前記携帯電話ネットワークにパケット呼の発呼に関する信号を送信しない発呼要求拒否手段を設けたことを特徴としている。
【００１３】
前記携帯電話ネットワークは、パケットのリソースを使い果たし前記携帯電話機に割当て可能なリソースを保持していない場合は、リソースを保持していない情報を報知情報として、前記携帯電話機に通知することを特徴としている。
【００１４】
前記携帯電話ネットワークは、
前記携帯電話基地局を統括制御する無線ネットワーク制御局と、前記携帯電話機の位置登録の制御、呼制御及びユーザー情報管理を行うコアネットワークとを備えたことを特徴としている。
【００１５】
前記携帯電話機は、前記携帯電話ネットワークからの前記報知情報で、割当て可能なパケットリソースを保持していないという情報が通知された場合、予め設定したＴ秒間パケット呼の発呼要求を拒否する手段を備えたことを特徴としている。
【００１６】
前記携帯電話機は、パケット呼の発呼要求を拒否する前記Ｔ秒以内に新たな報知情報を受信し、割当て可能なパケットリソースが存在する情報を取得した場合は、直ちに発呼要求に応じることを特徴としている。
【００１７】
前記携帯電話機は、
前記携帯電話ネットワークが前記携帯電話機に割当てるリソースを保持していない情報を受信すると、前記情報を表示することを特徴としている。
【００１８】
また、無線送受信を行う無線通信部と、メッセージを表示する表示部と、制御部とを備え、
携帯電話機に割当てるリソースを保持していない情報を携帯電話ネットワークから受信すると、前記情報を前記表示部に表示することを特徴としている。
【００１９】
無線送受信を行う無線通信部と、メッセージを表示する表示部と、制御部とを備え、
前記制御部は、
携帯電話ネットワークがパケットのリソースを使い果たし携帯電話機に割当て可能なリソースを保持していない場合は、発呼要求を受け付けないで、前記携帯電話ネットワークにパケット呼の発呼要求の拒否を行うことを特徴としている。
【００２０】
携帯電話機が携帯電話基地局で位置登録を待ち受けている時点で、携帯電話ネットワークは前記携帯電話機に割当て可能なパケットリソースを保持しているか否かを前記携帯電話機に通知し、
前記携帯電話機は、前記携帯電話ネットワークがパケットのリソースを使い果たし前記携帯電話機に割当て可能なリソースを保持していない場合は、発呼要求を受け付けないで、パケット呼の発呼要求拒否を行う方法を特徴としている。
【発明の効果】
【００２１】
本発明の携帯電話パケット呼接続システムは、携帯電話ネットワークがパケットのリソースを使い果たし、携帯電話機に割当て可能なパケットリソースを保持していない場合は、携帯電話機からのパケット呼の発呼に関する信号が送信されないようにできるので、パケットのリソース不足に対する呼損が無くなるという効果を有している。
【発明を実施するための最良の形態】
【００２２】
次に、本発明の実施の形態について図面を参照して説明する。
【００２３】
図１は本発明の携帯電話パケット呼接続システムの一つの実施の形態を示すブロック図である。
【００２４】
図１に示す本実施の形態は、携帯電話機１と、携帯電話基地局装置２と、ＲＮＣ（Ｒａｄｉｏ  Ｎｅｔｗｏｒｋ  Ｃｏｎｔｒｏｌｌｅｒ：無線ネットワーク制御局）３と、ＣＮ（Ｃｏｒｅ  Ｎｅｔｗｏｒｋ：コアネットワーク）４とから構成されている。ＲＮＣ３とＣＮ４とは携帯電話ネットワーク５を構成する。
【００２５】
ＲＮＣ３は携帯電話基地局装置２を統括制御する。ＣＮ４は携帯電話機１の位置登録の制御、呼制御、ユーザー情報を管理する。
【００２６】
携帯電話機１は無線送受信を行う無線通信部６と、メッセージを表示する表示部８と、携帯電話機全体を管理制御する制御部７とを有している。
【００２７】
なお、図１はＩＭＴ−２０００のシステム構成を例に記述している。
【００２８】
ＩＭＴ−２０００のシステムでは、携帯電話機１が携帯電話ネットワーク５に接続するために必要な設定パラメータおよびセル周辺に存在する他セル等の接続情報（以下、報知情報と呼ぶ。）を、セルに存在する携帯電話機１に対して報知している。ここでセルとは携帯電話基地局装置２がカバーすることができるエリアである。
【００２９】
携帯電話ネットワーク５は、携帯電話ネットワーク５自身が携帯電話機１に割当て可能なパケットのリソースを保持しているか否かの情報を報知情報に付加する。
【００３０】
これは、ユーザーが携帯電話機１でパケット呼の発呼動作を実施する前に、携帯電話ネットワーク５が携帯電話機１から要求された呼に対し割当て可能なリソースを保持しているか否かを、ユーザーに対し通知することを意味する。
【００３１】
携帯電話ネットワーク５は、携帯電話機１に割当てるリソースを保持していない場合、リソースを保持していない情報をその時点で報知情報として送信する。リソースを保持していない旨の情報を無線通信部６により受信した携帯電話機１は、ユーザーに対し携帯電話機１の表示部８にその旨を通知する。
【００３２】
携帯電話機１は、携帯電話ネットワーク５から、割当て可能なパケットリソースを保持していない報知情報が通知された場合、Ｔ秒間ユーザーからのパケット呼の発呼要求を制御部７により拒否する。携帯電話機１は、Ｔ秒以内に新たな報知情報を受信し、割当て可能なパケットリソースが存在する報知情報を取得した場合は、直ちにユーザーからの発呼要求に応じる。
【００３３】
なお、この携帯電話機１は、位置登録をしていたリソース不足のセルから周辺に存在する他のセルへ移動した際、もとに位置していたリソース不足のセルには戻り難くする機能を有している。また、携帯電話機１は、携帯電話ネットワーク５からリソース不足の情報を受信した際、現在位置登録しているセルから周辺に存在する他のセルに容易に移動できる。すなわち、ハンドオーバしやすくする状態に設定する。
【００３４】
本システムは、パケットのリソース不足に限らず、他の呼種やサービスに関しても適用可能である。また本システムは、ＩＭＴ−２０００だけに限らず、同様の制御信号をもつ他のシステムにも適用可能である。
【００３５】
さらにまた、ユーザーが使用する携帯電話機を含む既存の携帯電話システムに適用可能である。
【００３６】
上述の通り、携帯電話ネットワーク５は、携帯電話機１がある携帯電話基地局装置２で待ち受け時点、好ましくは位置登録要求を受けた時点、または位置登録を完了した時点で、携帯電話機１に割当て可能なパケットリソースを保持しているか否かを携帯電話機１に通知する。
【００３７】
携帯電話機１は、携帯電話機１に割当て可能なリソースを保持していない通知を携帯電話ネットワーク５から受けた場合は、ユーザーからの発呼要求を受け付けない。従って、携帯電話機１は携帯電話ネットワーク５にパケット呼の発呼に関する信号を送信しない。
【００３８】
携帯電話機１は、携帯電話ネットワーク５がパケットのリソースを保持していない場合は、他の携帯電話基地局装置２のセルに移動する。
【００３９】
図２はセルをハンドオーバする携帯電話機の受信状態を説明する図である。
【００４０】
なお、図２において図１に示す構成要素に対応するものは同一の参照数字または符号を付し、その説明を省略する。
【００４１】
図２に記載の通り、パワーオンされた携帯電話機１はセルＡ１０に位置するので、セルＡ１０の報知情報を受信する。携帯電話機１が、パワーオンした状態でセルＢ２０に移動してハンドオーバした際には、携帯電話機１はそのセルＢ２０に対応した報知情報を受信することになる。
【００４２】
図３は報知情報レイヤー３ＲＲＣ（Ｒａｄｉｏ  Ｒｅｓｏｕｒｃｅ  Ｃｏｎｔｒｏｌ）メッセージのマスター情報ブロックの構成を示す図である。
【００４３】
報知情報のレイヤー３ＲＲＣメッセージは、システム情報ブロック（Ｓｙｓｔｅｍ  Ｉｎｆｏｒｍａｔｉｏｎ  Ｂｌｏｃｋ）とマスター情報ブロック（Ｍａｓｔｅｒ  Ｉｎｆｏｒｍａｔｉｏｎ  Ｂｌｏｃｋ）とから構成される。
【００４４】
システム情報ブロックは各チャネルの設定パラメータおよび周辺に存在するセル情報を通知する。
【００４５】
マスター情報ブロックはシステム情報ブロックのスケジューリング情報を通知する。ここでシステム情報ブロックのスケジューリングとは、どの様なタイミングで、システム情報ブロックが携帯電話ネットワーク５から送信されるかのタイミング情報を示す。
【００４６】
報知情報のレイヤー３メッセージには、上述のシステム情報ブロックやマスター情報ブロックが存在する。携帯電話機１がセル間を移動した場合（ハンドオーバ）、携帯電話機１はまず初めにマスター情報ブロックを取得する。そこで、本レイヤー３メッセージのマスター情報ブロックに携帯電話ネットワーク５のパケットリソース有無の情報を付加し、携帯電話機１に通知する。
【００４７】
携帯電話ネットワーク５は、携帯電話機１に割当て可能なリソースの有無情報を、マスター情報ブロックのパディングデータ内に付加する。図３に示す通り、マスター情報ブロックは２４６ｂｉｔからなるデータであり、メッセージデータ部とパディング部から構成される。通常は、メッセージデータ部の最後部から２４６ｂｉｔ目までの範囲が、“０”でパディングされる。パケットリソースが存在する場合、このパディング部の最初の１ビットが“１”にセットされる。つまり、パディング部の最初の１ビット目が“１”であれば、携帯電話機１に割り当て可能なパケットのリソースが存在することを意味する。このパディング部の最初の１ビットが“０”であれば、携帯電話機１に割り当て可能なパケットのリソースが存在しないことを意味する。
【００４８】
図３では、一例としてパディング部の最初の１ビット目が“１”であれば、パケットリソースが存在することとしているが、パケットリソースの有無が判断できれば、パディング部の最初の１ビット目に限定されるものではない。
【００４９】
図４はパケットリソースの有無による携帯電話機の動作を説明する図である。
【００５０】
図４の左側が携帯電話機１の動作、右側が携帯電話ネットワーク５からの報知情報の動作を示す。
【００５１】
図４を参照して動作を説明する。電源オンされた携帯電話機１が携帯電話ネットワーク５から報知情報を受信する。携帯電話機１はマスター情報ブロックのパディング部から、割当て可能なパケットリソースを保持していない情報を受けると、携帯電話機１の内部処理として、“パケットリソース無しフラグ”を“ＯＮ”にする。また同時に、その旨を携帯電話機１のユーザーに報告する。本情報のユーザー通知は、携帯電話機１の液晶画面（図示せず）に表示する等の方法が考えられる。
【００５２】
携帯電話機１は、携帯電話ネットワーク５が割当て可能なパケットリソースを保持していないという情報を受けた場合、つまり“パケットリソース無しフラグ”が“ＯＮ”の状態で、ユーザーからパケット呼の発信要求がされた場合、次の動作を行う。「現在、携帯電話ネットワークはパケット呼のリソース不足である。」の旨をユーザーに通知し、パケット呼の発信要求を拒否する。これにより、携帯電話機１から無駄な信号が送信されることを防ぐことができる。
【００５３】
“パケットリソース無しフラグ”は、携帯電話機１が新しい報知情報（マスター情報ブロック）を受信した場合、そこに付加されている新しいリソース情報で上書きされる。ただし、何らかの条件で、携帯電話機１がその報知情報を棄却した場合は、そのリソース情報で上書きできない。
【００５４】
ここで報知情報の棄却とは、携帯電話機１が新しいセルに移動し報知情報を受信した時、その内容に異常があった場合等は受信した報知情報を破棄し、新しいセルに対して位置登録を要求しないことを示す。
【００５５】
携帯電話機１は、“パケットリソース無しフラグ”が“ＯＮ”になったタイミングで内蔵のタイマーＴ（Ｔ秒タイマー）を開始させる。
【００５６】
“パケットリソース無しフラグ”が“ＯＮ”の状態は、タイマー動作中のＴ秒間の間保持される。この間、携帯電話機１はユーザーからの発呼要求を受け付けない。タイマー動作時間Ｔが満了し停止した時点で、“パケットリソース無しフラグ”を“ＯＦＦ”にする。携帯電話機１は同じセルに居続けた場合、幾つかのパターンを除いて基本的に報知情報を再度読み込まない。これは、最初に報知情報を読み込んでからＴ秒後には、携帯電話ネットワーク５が携帯電話機１に割当て可能なパケットリソースを確保する可能性があるということを意味している。タイマーＴが停止すると、携帯電話機１は再びユーザーからの発呼要求を受け付ける。
【００５７】
次に携帯電話機１が移動して他のセルに移動する。この時点で携帯電話ネットワーク５から、パケットリソース無し情報を再び取得すると、携帯電話機１は再び“パケットリソース無しフラグ”を“ＯＮ”とし、タイマーＴの動作を開始させる。タイマーの動作時間Ｔ以内に、携帯電話機１がさらに移動して、他のセルに移動する。この時点で携帯電話ネットワーク５からの報知情報がパケットリソース“有り”の場合、携帯電話機１は“パケットリソース無しフラグ”を“ＯＦＦ”とし、タイマーＴの動作を停止させる。これ以降、携帯電話機１は、この区間でユーザーの発呼要求を受け付ける。
【００５８】
次に上述の動作について、携帯電話機１と携帯電話ネットワーク５との間における無線資源の確立手順と解放手順について説明する。
【００５９】
図５は無線資源の確立手順と解放手順の信号プロトコルを示す図である。
【００６０】
図５を参照すると、“パケットリソース無しフラグ”が“ＯＦＦ”の状態で、ユーザーからの発呼要求で携帯電話機１がパケット呼の発呼を実施すると、携帯電話ネットワーク５は一連の無線資源の確立手順を実行する。この確立手順実行中に、携帯電話ネットワーク５から“リソース不足”を理由とした切断通知を受けた場合、携帯電話機１は使用した無線資源の開放手順を実施する。携帯電話機１は無線資源を解放した直後に、再度報知情報を読み込む。
【００６１】
携帯電話ネットワーク５からのタイミングでパケットリソース無しの情報を受けた場合（報知情報受信処理）は、再度携帯電話機１の“パケットリソース無しフラグ”が“ＯＮ”となる。
【００６２】
なお、図５のＲＲＣ（無線資源）確立手順の一連の手順（ＳＥＲＶＩＣＥ  ＲＥＱＵＥＳＴ、認証手順、ＳＥＱＵＲＩＴＹ手順、ＡＣＴＩＶＡＴＥ  ＰＤＰ  ＣＯＮＴＥＸＴ  ＲＥＪＥＣＴ、ＲＡＢ確立手順、ＡＣＴＩＶＡＴＥ  ＰＤＰ  ＣＯＮＴＥＸＴ  ＲＥＪＥＣＴ）の詳細は、文献「信号プロトコル（ＩＭＴ２０００）技術仕様：３ＧＰＰ  ＴＳ２４．００８；Ｖ３．１４．０（２００２−１２）；３ＧＰＰ  Ｏｒｇａｎｉｚａｔｉｏｎａｌ  Ｐａｒｔｎｅｒｓ発行」を参照し、ここでは説明を省略する。
【００６３】
通常、携帯電話機１は位置登録しているセルとその周辺に存在するセルの品質を監視する。携帯電話機１は、周辺に存在するセルの品質がある条件を満たした時に、現在位置登録しているセルから、その周辺セルに移動する動作を実施する。
【００６４】
しかしながら、携帯電話機１は、携帯電話ネットワーク５から“リソース不足”の情報を受信した場合、リソース不足を理由に他のセルへの移動が容易になる。
【００６５】
携帯電話機１を他のセルに移動し易くする方法は様々である。ここでは報知情報で通知される移動先のセル内の最小要求品質レベル（Ｑ−ｑｕａｌｍｉｎ）及びセル内の最小要求受信レベル（Ｑ−ｒｘｌｅｖｍｉｎ）の値を、実際受信したセル測定品質レベル及びセル受信レベルより低い値として設定することでハンドオーバしやすくする。この最小要求品質レベル（Ｑ−ｑｕａｌｍｉｎ）及び最小要求受信レベル（Ｑ−ｒｘｌｅｖｍｉｎ）は報知情報で通知される。
【００６６】
次に上記とは逆に移動しにくくなる方法を説明する。
【００６７】
図６はセル間移動を抑止する状態を説明する図である。
【００６８】
リソース不足情報を受信した携帯電話機１は、同時に“リソース不足”のセルから他のセルに移動した後は、もとに位置した“リソース不足”のセルには戻りにくくなる機能が設けられる。このため“リソース不足”の情報を受信したセルについては、ネットワーク５は“リソース不足セルリスト”に周波数とスクランブリングコードを登録する。図６の場合では、リソース不足のセルＡに対して、周波数：Ａ、スクランブリングコード：１０をリソース不足セルリストに追加する。セルＢでは、セル内の最小要求品質レベル（Ｑ−ｑｕａｌｍｉｎ）及びセル内の最小要求受信レベル（Ｑ−ｒｘｌｅｖｍｉｎ）の値を、実際受信したセル測定品質レベル及びセル受信レベルより低い値に設定する。このことにより、他のセルＢに移動し易くしている。
【００６９】
携帯電話機１が他のセルＢに移動する。セルＡに対しては、携帯電話ネットワーク５において“リソース不足セルリスト”に登録されているので、セルＡ内の最小要求品質レベル（Ｑ−ｑｕａｌｍｉｎ）及びセル内の最小要求受信レベル（Ｑ−ｒｘｌｅｖｍｉｎ）の値を実際受信した値より大きい値として扱う。このことによって、携帯電話機１はセルＡには戻りにくくする機能を実現させる。
【００７０】
携帯電話機１の携帯電話ネットワーク５における“リソース不足セルリスト”への登録は、予め設定された所定の時間持続される。“リソース不足セルリスト”に登録されてから所定の時間経過した場合、携帯電話ネットワーク５においてそのセル情報は破棄されるものとする。
【００７１】
本システムは、上記パケット呼のリソース不足を通知する機能に限らず、他の呼種やサービスにも適用可能である。また、パディングビットを複数使用することで、同時に複数の情報を付加することも可能である。
【００７２】
上述の通り、携帯電話ネットワーク５がパケットのリソースを使い果たし、携帯電話機１に割当て可能なパケットリソースを保持していない場合は、携帯電話機１からのパケット呼の発呼に関する信号が送信されないため、パケットのリソース不足に対する呼損が無くなる。
【００７３】
携帯電話機１が、パケットリソース不足の基地局に位置登録している際は、他の基地局に移動し易くなるため、パケットリソース不足の基地局に居続ける可能性が減少することになる。
【図面の簡単な説明】
【００７４】
【図１】本発明の携帯電話パケット呼接続システムの一つの実施の形態を示すブロック図である。
【図２】セルをハンドオーバする携帯電話機の受信状態を説明する図である。
【図３】報知情報レイヤー３メッセージのマスター情報ブロックの構成を示す図である。
【図４】パケットリソースの有無による携帯電話機の動作を説明する図である。
【図５】無線資源の確立手順と解放手順の信号プロトコルを示す図である。
【図６】セル間移動を抑止する状態を説明する図である。
【符号の説明】
【００７５】
１    携帯電話機
２    携帯電話基地局装置
３    ＲＮＣ
４    ＣＮ
５    携帯電話ネットワーク
６    無線通信部
７    制御部
８    表示部
１０    セルＡ
２０    セルＢ
【図１】
2005277911.tif 000003
【図２】
2005277911.tif 000004
【図３】
2005277911.tif 000005
【図４】
2005277911.tif 000006
【図５】
2005277911.tif 000007
【図６】
2005277911.tif 000008